(57)【要約】    【課題】  各種食材やその調理方法に応じた完全な攪拌作用が効率良く得られる万能攪拌装置を提供する。    【解決手段】  据付フレーム（Ａ）から垂立する軸受スタンド（１）（２）へ回動支軸（３２）（３３）を介して、その両回動支軸の水平軸線（Ｘ−Ｘ）廻りに各々一定の回動角度範囲（α）（β）だけ前後方向へチルト作動できるように枢着された釜（Ｃ）並びに攪拌機用支持ボックス（４５）と、その釜（Ｃ）に受け持たれた状態のもとで水平回転される食材収容鍋（６）とを備え、食材収容鍋（６）の駆動モーター（２８）における正逆回転方向と回転速度のほか、その収容鍋（６）に向かって垂下する攪拌軸（６７）の駆動モーター（５９）における回転速度も、各種食材やその調理方法に応じて調整制御できるように設定した。【選択図】  図４
2006061183.tif 000002
【特許請求の範囲】
【請求項１】
据付フレーム（Ａ）として垂立する軸受スタンド（１）（２）の向かい合う左右相互間へ一対の回動支軸（３２）（３３）により、その両回動支軸（３２）（３３）の水平軸線（Ｘ−Ｘ）廻りに一定な回動角度範囲（α）だけ前後方向へチルト作動自在に吊持された釜（Ｃ）と、
上記釜（Ｃ）に受け持たれた状態のもとで、その釜（Ｃ）に内蔵する可逆式の鍋回転駆動モーター（２８）により水平回転される食材収容鍋（６）と、
その食材収容鍋（６）の開口上面よりも背高く垂立する竪型として、上記軸受スタンド（２）の何れか一方へ対応的な回動支軸（３３）により、その同じ水平軸線（Ｘ−Ｘ）廻りに一定な回動角度範囲（β）だけ前後方向へチルト作動自在に枢着された攪拌機用支持ボックス（４５）と、
その支持ボックス（４５）に受け持たれた基端部から、上記食材収容鍋（６）の真上位置まで水平に張り出し延長された攪拌機用伝動ケース（６１）と、
その伝動ケース（６１）の先端部から上記食材収容鍋（６）に向かって垂下する攪拌軸（６７）の下端部へ、着脱・交換可能に連結一体化される各種攪拌子（８１）と、
その攪拌子（８１）へ回転力を与えるべく、上記支持ボックス（４５）に内蔵された竪型の攪拌機用駆動モーター（５９）と、上記伝動ケース（６１）に内蔵された伝動チェン（６９）とを備え、
上記鍋回転駆動モーター（２８）の正逆回転方向と回転速度並びに上記攪拌機用駆動モーター（５９）の回転速度を、各種食材やその調理方法に応じて制御できるように設定したことを特徴とする各種食材の万能攪拌装置。
【請求項２】
攪拌機用駆動モーター（５９）により回転される攪拌軸をセンター攪拌軸（６７）と、その周囲をセンター攪拌軸（６７）と同一方向へ公転運動し乍ら、逆方向へ自転運動し得る偏心攪拌軸（７７）との複数個として、攪拌機用伝動ケース（６１）から平行に垂下させたことを特徴とする請求項１記載の各種食材の万能攪拌装置。
【請求項３】
攪拌機用伝動ケース（６１）の基端部に軸受けされた伝動軸（６２）と、攪拌機用駆動モーター（５９）の出力軸（６０）とを、着脱自在の伝動カップリング（６３）によって連結する一方、
同じく伝動ケース（６１）の中途部を攪拌機用支持ボックス（４５）に軸受けされた前後一対の昇降ロッド（９９）と、その両昇降ロッド（９９）の上段連結盤（１０１）に向かって伝動ケース（６１）から差し込み垂下された１個の回動枢軸（１０５）により、その攪拌軸（６７）に付属の攪拌子（８１）が食材収容鍋（６）の開口上面から抜き出し退避される一定なストローク（ｓ）だけ、昇降作動させ得るように支持して、
その一定なストローク（ｓ）だけ伝動ケース（６１）を上記支持ボックス（４５）から浮上させた時には、上記駆動モーター（５９）の出力軸（６０）と伝動軸（６２）とが伝動不能に分離すると共に、その伝動ケース（６１）を上記垂直な回動枢軸（１０５）の廻りに一定の角度（γ）だけ水平回動させることができるように設定したことを特徴とする請求項１又は２記載の各種食材の万能攪拌装置。
【発明の詳細な説明】
【技術分野】
【０００１】
本発明は各種食材の煮練りや炒め、泡立て、和え、その他の調理方法に応じた常時均一な攪拌作用を、短時間での効率良く得られる業務用の万能攪拌装置に関する。
【背景技術】
【０００２】
洋菓子の生地となるクリーム類や和菓子の餡、炒め物の野菜類、その他の希望する食材を加熱し乍ら攪拌するために、その食材収容鍋の内部へ上方から挿入した複数の攪拌子を自転し乍ら公転運動させる装置として、例えば特開平１１−３４７３９０号や特許第２７５９０９２号、特許第２９５０５０９号が提案されている。
【０００３】
又、食材の攪拌洩れを無くすために、その攪拌機の回転攪拌軸を所謂斜軸として、食材収容鍋の内部へ上方から傾斜状態に挿入した装置も、例えば特開２０００−３４２９５１号や特開２００１−２３８８０５号、特許第３１４９０６５号によって公知である。
【０００４】
更に言えば、攪拌機の攪拌子が挿入された使用状態にある食材収容鍋自身を、水平回転させるように構成した装置も、例えば特開２００２−３１５６７３号や特許第３４１８９３６号に記載されている。
【特許文献１】特開平１１−３４７３９０号公報
【特許文献２】特許第２７５９０９２号公報
【特許文献３】特許第２９５０５０９号公報
【特許文献４】特開２０００−３４２９５１号公報
【特許文献５】特開２００１−２３８８０５号公報
【特許文献６】特許第３１４９０６５号公報
【特許文献７】特開２００２−３１５６７３号公報
【特許文献８】特許第３４１８９３６号公報
【発明の開示】
【発明が解決しようとする課題】
【０００５】
ところが、上記公知発明ではその悉く食材収容鍋が垂直の姿勢状態に据付け固定されており、そのうちの特開２００２−３１５６７３号発明と特許第３４１８９３６号発明に限っては、食材収容鍋が水平回転し得るとしても、その垂直の姿勢状態を保っていることに変りはない。
【０００６】
そのため、食材の攪拌作用をその収容鍋の内部全体に万遍なく波及させることができず、必らずや攪拌洩れを生ずることになる結果、食材の種類やその調理方法が狭く限定された専用機にならざるを得ないのである。
【０００７】
又、攪拌機における複数の攪拌子を自転し乍ら公転運動させる装置でも、食材収容鍋は垂直の姿勢状態に据付け固定されており、その内部へ上方から垂下する回転攪拌軸も、垂直の姿勢状態を保つに過ぎないため、食材を縦方向へ対流・反転させる攪拌作用に劣り、これが食材収容鍋における上部の周辺へ、終始付着した状態のままに残ってしまうのである。
【０００８】
この点、攪拌機の回転攪拌軸を所謂斜軸として、垂直の姿勢状態にある食材収容鍋へ、斜め上方から挿入した装置の場合、これにより食材を或る程度縦方向へ対流・反転させることができるとしても、その回転攪拌軸の傾斜角度は予じめの一定に決まっており、食材収容鍋も据付け固定状態にあるため、やはり食材の種類やその調理方法が限定されてしまうのである。
【０００９】
要するに、上記公知発明の構成では各種食材やその調理方法に応じた常時効果的な攪拌作用を得ることができず、未だ万能性・汎用性を発揮しない。
【課題を解決するための手段】
【００１０】
本発明はこのような課題の抜本的な解決を目的としており、その目的を達成するために、請求項１では据付フレームとして垂立する軸受スタンドの向かい合う左右相互間へ一対の回動支軸により、その両回動支軸の水平軸線廻りに一定な回動角度範囲だけ前後方向へチルト作動自在に吊持された釜と、
【００１１】
上記釜に受け持たれた状態のもとで、その釜に内蔵する可逆式の鍋回転駆動モーターにより水平回転される食材収容鍋と、
【００１２】
その食材収容鍋の開口上面よりも背高く垂立する竪型として、上記軸受スタンドの何れか一方へ対応的な回動支軸により、その同じ水平軸線廻りに一定な回動角度範囲だけ前後方向へチルト作動自在に枢着された攪拌機用支持ボックスと、
【００１３】
その支持ボックスに受け持たれた基端部から、上記食材収容鍋の真上位置まで水平に張り出し延長された攪拌機用伝動ケースと、
【００１４】
その伝動ケースの先端部から上記食材収容鍋に向かって垂下する攪拌軸の下端部へ、着脱・交換可能に連結一体化される各種攪拌子と、
【００１５】
その攪拌子へ回転力を与えるべく、上記支持ボックスに内蔵された竪型の攪拌機用駆動モーターと、上記伝動ケースに内蔵された伝動チェンとを備え、
【００１６】
上記鍋回転駆動モーターの正逆回転方向と回転速度並びに上記攪拌機用駆動モーターの回転速度を、各種食材やその調理方法に応じて制御できるように設定したことを特徴とする。
【００１７】
又、請求項２では上記請求項１に従属する構成として、攪拌機用駆動モーターにより回転される攪拌軸をセンター攪拌軸と、その周囲をセンター攪拌軸と同一方向へ公転運動し乍ら、逆方向へ自転運動し得る偏心攪拌軸との複数個として、攪拌機用伝動ケースから平行に垂下させたことを特徴とする。
【００１８】
更に、請求項３では上記請求項１又は２に従属する構成として、攪拌機用伝動ケースの基端部に軸受けされた伝動軸と、攪拌機用駆動モーターの出力軸とを、着脱自在の伝動カップリングによって連結する一方、
【００１９】
同じく伝動ケースの中途部を攪拌機用支持ボックスに軸受けされた前後一対の昇降ロッドと、その両昇降ロッドの上段連結盤に向かって伝動ケースから差し込み垂下された１個の回動枢軸により、その攪拌軸に付属の攪拌子が食材収容鍋の開口上面から抜き出し退避される一定なストロークだけ、昇降作動させ得るように支持して、
【００２０】
その一定なストロークだけ伝動ケースを上記支持ボックスから浮上させた時には、上記駆動モーターの出力軸と伝動軸とが伝動不能に分離すると共に、その伝動ケースを上記垂直な回動枢軸の廻りに一定の角度だけ水平回動させることができるように設定したことを特徴とする。
【発明の効果】
【００２１】
請求項１の上記構成によれば、食材収容鍋を受け持つ釜と、攪拌機用支持ボックスとの何れか一方を固定状態に保って、残る他方を回動支軸の水平軸線廻りに希望の傾斜角度だけ前後方向へチルト作動させたり、又はその共通する水平軸線の廻りに、上記釜と攪拌機用支持ボックスとの双方を各別に前後方向へチルト作動させて、その傾斜角度を相関的に変えたりすることができ、更に食材収容鍋の回転方向を正逆変更したり、同じく食材収容鍋の回転速度と攪拌子の回転速度を調整したりすることも可能であるため、粘度や形質などの性状が異なる各種食材や、その煮練り、炒め、和えなどの各種調理方法に応じた豊富な使用バリエーションのもとで、常に効率良く完全な攪拌効果を得ることができるのであり、万能性・汎用性に優れる。
【００２２】
特に、請求項２の構成を採用するならば、センター攪拌軸の周囲を偏心攪拌軸が同一方向へ公転運動し乍ら、逆方向へ自転運動するため、その駆動モーターの回転速度を制御できることや、食材収容鍋の正逆回転方向と回転速度を制御できることとも相俟って、上記攪拌効果がますます向上する。
【００２３】
更に、請求項３の構成を採用するならば、攪拌機用伝動ケースを一定のストロークだけ上昇作動をさせて、攪拌機用支持ボックスから浮上させた上、その伝動ケースを１個の垂直な回動枢軸の廻りに水平回動させることにより、攪拌軸の下端部に付属している攪拌子を食材収容鍋の周辺へ抜き出し退避させることができ、その食材収容鍋を受け持つ釜のチルト作動により、これから攪拌調理済みの食材を便利良く取り出せる効果がある。
【発明を実施するための最良の形態】
【００２４】
以下、図面に基いて本発明の具体的構成を詳述すると、図１〜１８はその本発明の基本実施形態として、ガス直火型の加熱攪拌装置を示しており、（Ａ）は作業床への剛性な据付フレームであって、一定間隔を保って垂立する左右一対の軸受スタンド（１）（２）と、その下端部同志を連結する水平盤（３）とから枠組み一体化されているが、その何れか一方（図１、４の右側）の板壁状軸受スタンド（２）の下端部からは、水平な延長盤（４）が張り出してもいる。
【００２５】
そして、他方（図１、４の左側）の軸受スタンド（１）はボックス型として、後述する加熱器（Ｂ）のガスバーナーと釜との連動機構を格納できるようになっている。（５）は複数のネジ脚座であり、これらの昇降操作によって、据付フレーム（Ａ）の据付高さと水平度を調整することができるようになっている。
【００２６】
（Ｃ）は上記据付フレーム（Ａ）における両軸受スタンド（１）（２）の左右相互間に介挿された釜であって、食材収容鍋（６）における就中約下半部の包囲可能な外筒（７）と内筒（８）との二重構造をなす。その場合、釜（Ｃ）の内筒（８）が食材収容鍋（６）の円錐底面とほぼ対応する下細りの漏斗型を呈しているに反して、外筒（７）の背後には後述する鍋回転駆動モーター用格納室（９）が延長形成されている。
【００２７】
（１０）はこのような釜（Ｃ）の外筒（７）へ断面コ字型として裏打ち一体化された第１断熱ライニング層であり、内筒（８）との相互間に排気ジャケット（１１）を区成している。（１２）はその排気ジャケット（１１）から上記鍋回転駆動モーター用格納室（９）を貫通して、背後方向へ導出開口された集中排気管である。
【００２８】
（１３）は上記釜（Ｃ）の内筒（８）へ裏打ち一体化された第２断熱ライニング層であって、上記第１断熱ライニング層（１０）と同様な熱しやすくも、冷めやすいセラミックファイバーなどの非蓄熱性断熱材から成る。（１４）はその内筒（８）と第２断熱ライニング層（１３）に開口分布された多数の排気孔であり、上記排気ジャケット（１１）と連通している。そのため、食材の焦げ付きや作業者の火傷事故防止に役立つ。
【００２９】
（１５）は上記釜（Ｃ）における外筒（７）の上端部から内向き一体的に張り出す水平な開口フランジ、（１６）はその開口フランジ（１５）へ軸支された上段遊転ローラーであり、内筒（８）から対応的な外向き一体的に張り出す上段係合フランジ（１７）と係合している。
【００３０】
又、（１８）は同じく外筒（７）の下端部付近からやはり内向き一体的に張り出す水平な支持フランジ、（１９）はその支持フランジ（１８）へ取付ステー（２０）を介して軸支された下段遊転ローラーであり、上記内筒（８）から対応的な外向き一体的に張り出す下段係合フランジ（２１）と係合している。
【００３１】
そのため、釜（Ｃ）の内筒（８）は外筒（７）に対して、その垂直中心線（Ｙ−Ｙ）の廻りに安定良く回転し得る状態にある。（２２）は上記外筒（７）の開口フランジ（１５）から一体的に垂立する鍋位置決め規制リング、（２３）は上記内筒（８）の上端部に付属一体化された水平な鍋受けフランジ、（２４）（２５）は同じく内筒（８）の下端部へ外向き張り出し状態として取り付け固定された入力スプロケットとガス導入フードを示している。
【００３２】
先に一言した食材収容鍋（６）は所謂ボール鍋として、円錐底面を備えた断面Ｕ字型に造形されており、その中途高さ位置からは釜（Ｃ）への係止フランジ（２６）が、外向き一体的に張り出されている。そして、その食材収容鍋（６）の係止フランジ（２６）が上記釜（Ｃ）における内筒（８）の鍋受けフランジ（２３）と鍋位置決め規制リング（２２）へ、上方から被冠状態に接合された上、複数の係止ピン（２７）によって固定一体化されている。
【００３３】
その結果、食材収容鍋（６）はこれを受け持つ釜（Ｃ）の上記内筒（８）と一緒に回転し得るが、上記係止ピン（２７）を抜くことにより、その釜（Ｃ）の内筒（８）から取り出して、食材収容鍋（６）を清掃作業することも可能である。
【００３４】
（２８）は上記釜（Ｃ）における鍋回転駆動モーター用格納室（９）の内部へ竪型に据付け固定された可逆式の鍋回転駆動モーターであり、これから垂下する出力軸（２９）の先端部には出力スプロケット（３０）が嵌め付け一体化されている。
【００３５】
しかも、その鍋回転駆動モーター（２８）の出力スプロケット（３０）と、上記釜（Ｃ）の内筒（８）に付属している入力スプロケット（２４）とは、図１６のような同じ高さ位置での並列状態にあり、その相互間には無端な伝動チェン（３１）が巻き掛けられている。
【００３６】
上記釜（Ｃ）の内筒（８）に受け止め一体化された食材収容鍋（６）が、その鍋回転駆動モーター（２８）により伝動チェン（３１）を介して、水平回転されるようになっているのである。（Ｄ）はこのような食材収容鍋（６）の回転駆動機構を示している。
【００３７】
又、（３２）（３３）は上記釜（Ｃ）における外筒（７）の上端部付近から補強プレート（３４）（３５）を介して、外向き一体的に張り出された左右一対の水平な回動支軸であり、上記据付フレーム（Ａ）の軸受スタンド（１）（２）を各々貫通している。上記食材収容鍋（６）を受け持つ釜（Ｃ）が、同じ水平軸線（Ｘ−Ｘ）上に並列する回動支軸（３２）（３３）の左右一対によって、据付フレーム（Ａ）の両軸受スタンド（１）（２）から吊り下げられているわけである。
【００３８】
（３６）（３７）はその軸受スタンド（１）（２）に各々取り付け固定されたハブフランジであり、これらと上記回動支軸（３２）（３３）との嵌合面へ各々介挿された軸受メタル（３８）（３９）によって、その回動支軸（３２）（３３）が回動自在に支持されている。
【００３９】
（４０）は上記据付フレーム（Ａ）における両軸受スタンド（１）（２）のうち、その一方のボックス型軸受スタンド（１）から露出する回動支軸（３２）の先端部へ、枢支貫通ピン（４１）を介して一体回動し得るように嵌め付けられた釜傾斜操作レバーであり、その中途部に差し込み一体化されたロックピン（４２）が、上記ボックス型軸受スタンド（１）を指向している。
【００４０】
他方、（４３）はそのロックピン（４２）と向かい合う状態として、上記ボックス型軸受スタンド（１）の側壁面に取り付け固定された傾斜角度調整プレートであり、これには上記回動支軸（３２）からの一定な回動半径軌跡上に沿って点在する複数のロックピン受け入れ孔（４４）が開口分布されている。
【００４１】
その複数のロックピン受け入れ孔（４４）は上記食材収容鍋（６）を受け持つ釜（Ｃ）を、好ましくは約３０度の一定な回動角度範囲（α）において段階的に傾斜させるべく、その釜傾斜操作レバー（４０）を食材収容鍋（６）が垂立した姿勢状態にある零度から１０度、２０度並びに３０度の各傾斜角度を保てる合計４個として、これらのロックピン受け入れ孔（４４）へ上記ロックピン（４２）を択一的に差し替え使用できるようになっている。
【００４２】
このような約３０度の一定な回動角度範囲（α）において使用される合計４個のほかに、約９０度の傾斜角度を保てるロックピン受け入れ孔も開口されており、ここへ釜傾斜操作レバー（４０）を差し込んで、最大の約９０度だけ伏倒操作すれば、その釜（Ｃ）が上記水平軸線（Ｘ−Ｘ）の廻りに水平な姿勢状態まで横転することとなり、その結果これに受け持たれた食材収容鍋（６）の内部から好ましくは前方へ、攪拌調理済みの食材を確実に便利良く取り出すことができる。
【００４３】
但し、上記食材収容鍋（６）を受け持つ釜（Ｃ）を、このような一定の回動角度範囲（α）において、言わば小刻みの段階的に傾斜させ、その傾斜した姿勢の使用状態を固定維持できる釜チルト作動機構（Ｅ）である限り、上記ロックピン受け入れ孔（４４）の個数を合計４個以外に増減しても良く、又その無段階に傾斜させることも可能であり、更に図例のような棒状の釜傾斜操作レバー（４０）に代るリング状の釜傾斜操作ハンドルを採用して、これにより上記回動支軸（３２）（３３）を回動させてもさしつかえない。
【００４４】
上記据付フレーム（Ａ）における他方の板壁状軸受スタンド（２）を貫通する回動支軸（３３）のハブフランジ（３７）は、図４のような張出しフランジ付きの円筒型として、攪拌機用支持ボックス（４５）の中途高さ位置へ差し込み固定されている。（４６）はそのハブフランジ（３７）の張出しフランジ部と相俟って、上記支持ボックス（４５）の側壁面を挟む状態に締結固定されたカバーケースであるが、そのカバーケース（４６）と上記ハブフランジ（３７）との嵌合面には、左右一対のスラストベアリング（４７）が介挿されている。（４８）はそのスラストベアリング（４７）の抜け止めプレートである。
【００４５】
つまり、上記ハブフランジ（３７）の内部では軸受メタル（３９）を介して、上記食材収容鍋（６）を受け持つ釜（Ｃ）の回動支軸（３３）が回動する一方、同じくハブフランジ（３７）の外部ではスラストベアリング（４７）を介して、攪拌機用支持ボックス（４５）が回動し、その支持ボックス（４５）と釜（Ｃ）とを同じ上記水平軸線（Ｘ−Ｘ）廻りでの相対的に、各々前後方向へ傾斜させることができるようになっているのである。
【００４６】
（４９）は上記攪拌機用支持ボックス（４５）の前壁面に付属一体化されたレバー受けブラケットであり、これには上記板壁状軸受スタンド（２）に向かって進退操作し得るロックレバー（５０）が貫通されている。（５１）はこれと対応するロックレバー受け入れ孔の複数であり、上記回動支軸（３３）からの一定な回動半径軌跡上に沿う点在状態として、上記板壁状軸受スタンド（２）に開口分布されている。
【００４７】
その複数のロックレバー受け入れ孔（５１）は上記攪拌機用支持ボックス（４５）を、やはり好ましくは約３０度の一定な回動角度範囲（β）において段階的に傾斜させるべく、その支持ボックス（４５）が垂立した姿勢状態にある零度から１０度、２０度並びに３０度の各傾斜角度を保てる合計４個として、これらのロックレバー受け入れ孔（５１）へ上記ロックレバー（５０）を択一的に差し替え使用できるようになっており、後述する攪拌機のチルト作動機構（Ｆ）を形作っている。
【００４８】
但し、上記釜チルト作動機構（Ｅ）の釜傾斜操作レバー（４０）と同様に、攪拌機用支持ボックス（４５）をその一定な回動角度範囲（β）内での無段階に傾斜させて、その傾斜した姿勢の使用状態を固定維持しても良い。尚、先に例示した一定な回動角度範囲（α）（β）としての約３０度は、後述する攪拌機のセンター攪拌軸に連結使用される攪拌子と、食材収容鍋（ボール鍋）（６）における口径との寸法関係や、食材の収容量などを総合的に考慮して設定された数値であるが、約４５度を最大限度として適当に改変することができる。
【００４９】
上記攪拌機用支持ボックス（４５）は食材収容鍋（６）の開口上面よりも背高い竪型として垂立しており、その底面には遊転ローラー（５２）が軸支されている。（５３）はその遊転ローラー（５２）の転動ガイドレールであり、上記据付フレーム（Ａ）における延長盤（４）又は板壁状軸受スタンド（２）の対応位置へ、上記回動支軸（３３）からの一定な回動半径を描く凹曲面として取り付け固定されている。上記支持ボックス（４５）の遊転ローラー（５２）が、その転動ガイドレール（５３）に沿って約３０度の一定な回動角度範囲（β）だけ転動するようになっている。
【００５０】
（５４）は上記攪拌機用支持ボックス（４５）の姿勢状態を常に安定良く固定維持する気圧シリンダー（好ましくはガスダンパー）であって、上記回動支軸（３３）よりも下方位置を前後方向に沿い延在しており、そのシリンダー本体（５５）とピストンロッド（５６）との何れか一方が上記据付フレーム（Ａ）の板壁状軸受スタンド（２）へ、残る他方が攪拌機用支持ボックス（４５）へ各々枢着されている。
【００５１】
そのため、上記攪拌機用支持ボックス（４５）を気圧シリンダー（５４）の突っ張り作用（圧縮の反力）により、軽労力のもとに起し上げることができると共に、同じく支持ボックスの逆な転倒事故の予防にも役立つ。尚、（５７）は攪拌機用支持ボックス（４５）の前壁面に取り付けられた操作パネルである。
【００５２】
更に、（５８）は上記攪拌機用支持ボックス（４５）内の上端部付近に固定横架された水平な仕切り天板、（５９）はこれに吊持状態として取り付け固定された竪型の攪拌機用駆動モーターであり、その出力軸（６０）が仕切り天板（５８）から上向きに露出している。
【００５３】
（６１）は上記攪拌機用支持ボックス（４５）と別個独立の攪拌機用伝動ケースであって、その支持ボックス（４５）から食材収容鍋（６）の真上位置まで水平に張り出し延長している。（６２）はその伝動ケース（６１）の基端部へ垂立状態に軸受けされた伝動軸であって、図１２〜１５から明白なように、上記駆動モーター（５９）の出力軸（６０）と対応合致しており、しかもその伝動軸（６２）と出力軸（６０）との上下相互間が、着脱自在の伝動カップリング（６３）を介して連結一本化されている。（６４）はその伝動軸（６２）へ嵌め付け一体化された駆動スプロケット、（６５）は同じく伝動軸（６２）のベアリングケースである。
【００５４】
他方、（６６）は上記伝動ケース（６１）の延長先端部に嵌め付け一体化された固定軸受ケース、（６７）はその内部中心へ回転自在に支持されたセンター攪拌軸であり、その伝動ケース（６１）の内部へ臨む上端部には従動スプロケット（６８）が嵌め付け一体化されている。（６９）はその従動スプロケット（６８）と上記駆動スプロケット（６４）との相互間に巻き掛けられた無端な伝動チェンであり、そのためセンター攪拌軸（６７）は上記攪拌機用駆動モーター（５９）によって回転駆動されることとなる。（７０）はその伝動チェン（６９）のテンションスプロケットを示している。
【００５５】
（７１）は上記固定軸受ケース（６６）の下面へ複数のボルト（７２）によって固定一体化された径大なサンギヤであり、これがセンター攪拌軸（６７）の中途部を包囲する嵌合面には、ラジアルベアリング（７３）が介挿されている。（７４）は上記センター攪拌軸（６７）へ下方から差し込まれ、且つキー（７５）やスプラインなどを介して、そのセンター攪拌軸（６７）と一体に回転する径大な回転ケースであり、その上面を施蓋する回転カバープレート（７６）と相俟って、上記サンギヤ（７１）を包囲している。
【００５６】
（７７）は上記センター攪拌軸（６７）との一定間隔距離を保つ平行状態として、回転ケース（７４）から垂下する互いに同じ一対の偏心攪拌軸であり、各々ラジアルベアリング（７８）を介して、そのベアリングケース（７９）へ回転自在に支持されている。
【００５７】
又、上記サンギヤ（７１）と外接状態に噛合回転するプラネタリーギヤ（８０）が、その偏心攪拌軸（７７）の上端部へ各々嵌め付け一体化されている。そのため、上記センター攪拌軸（６７）が回転駆動されれば、そのセンター攪拌軸（６７）と一体に回転する回転ケース（７４）並びに回転カバープレート（７６）を介して、一対の偏心攪拌軸（７７）が上記センター攪拌軸（６７）の周囲を同一方向へ、同一速度のもとに公転運動する。
【００５８】
しかも、上記偏心攪拌軸（７７）の各個はその上端部に付属しているプラネタリーギヤ（８０）と、サンギヤ（７１）との噛合状態にあるため、これらは互いに逆方向へ自転運動することにもなり、次に述べる攪拌子（８１）とも相俟って、食材の攪拌機（Ｇ）を形作る。尚、上記サンギヤ（７１）とプラネタリーギヤ（８０）とが噛合回転するギヤ比率については、適当に設定することができる。
【００５９】
茲に、攪拌子（８１）は図２３（イ）〜（ヘ）に例示するような金属ワイヤーや、食材収容鍋（６）の内周面にフィットし得る板羽根などから成る各種形態として、予じめ用意されており、これらを食材やその調理方法に応じて使い分けられるようになっているが、その何れにあっても上記センター攪拌軸（６７）と両偏心攪拌軸（７７）の下端部へ、各々着脱・交換自在に連結一体化できる共通の取付支軸（８２）を備えている。
【００６０】
この点、図示の実施形態では上記センター攪拌軸（６７）と両偏心攪拌軸（７７）の下端部を、悉く同じ口径と深さのソケット（８３）（８４）として、ここへ受け入れた攪拌子（８１）の取付軸（８２）を係止ボール（８５）と、そのボール拘束用スライドカバー（８６）の引き下げ操作により、抜け止め状態に連結一本化すると共に、そのスライドカバー（８６）の押し上げ操作によって、攪拌子（８１）の取付支軸（８２）を抜き出せるようになっているが、その他の着脱・交換可能な構成を採用しても良い。
【００６１】
但し、両偏心攪拌軸（７７）のソケット（８４）に限っては図１５のように、ここへ受け入れられる攪拌子（８１）の取付支軸（８２）が、その偏心攪拌軸（７７）から一定量（ｄ）（例えば約５mm）だけ更に偏心する関係として造形することが好ましい。特に、ホィップクリームなどの泡立て攪拌効果を短時間に向上できるからである。
【００６２】
上記食材の攪拌機（Ｇ）は昇降作動機構（Ｈ）により、その攪拌子（８１）を食材収容鍋（６）の内部に対して、上方から出し入れすることができるようになっている。即ち、その攪拌機（Ｇ）の昇降作動機構（Ｈ）を示した図１１〜１３において、（８７）（８８）は上記攪拌機用支持ボックス（４５）の内部に取り付け固定された上下一対の向かい合う軸受けブラケット、（８９）（９０）はその軸受けブラケット（８７）（８８）へ各々回動自在に軸支された上下一対の径大なスプロケット、（９１）（９２）はその径大なスプロケット（８９）（９０）と一体回動し得る並列状態として、同じく軸受けブラケット（８７）（８８）に軸支された上下一対の径小なスプロケットである。
【００６３】
そして、その径小なスプロケット（９１）（９２）の上下相互間には、無端な第１走行チェン（９３）が巻き掛けられていると共に、その第１走行チェン（９３）の中途部に気圧シリンダー（好ましくはガスダンパー）（９４）のピストンロッド（９５）が締結されている一方、同じく気圧シリンダー（９４）のシリンダー本体（９６）が上記攪拌機用支持ボックス（４５）へ取付ステー（９７）を介して固定されている。
【００６４】
又、上記径大なスプロケット（８９）（９０）の上下相互間にも、別の無端な第２走行チェン（９８）が巻き掛けられている。（９９）は上記攪拌機用支持ボックス（４５）の内部へロッド受けブラケット（１００）を介して、並列状態に垂立された前後一対の昇降ロッドであり、その両昇降ロッド（９９）が上記仕切り天板（５８）を通じて露出する上端部には、水平な上段連結盤（１０１）が締結一体化されている一方、同じく両昇降ロッド（９９）の下端部も水平な下段連結盤（１０２）を介して締結一体化されている。
【００６５】
しかも、その下段連結盤（１０２）は連結ピース（１０３）によって、上記第２走行チェン（９８）の中途部と連結一体化されている。そのため、上記気圧シリンダー（９４）の突っ張り作用（圧縮の反力）が両昇降ロッド（９９）へ働いた付勢状態にある。
【００６６】
（１０４）は上記攪拌機（Ｇ）における伝動ケース（６１）の中途部に接合一体化された補強プレートであり、これからは上記両昇降ロッド（９９）における上段連結盤（１０１）の中心部を貫通する１個の回動枢軸（１０５）が、一体的に垂下されている。（１０６）はその垂直な回動枢軸（１０５）と上段連結盤（１０１）との嵌合面に介挿された軸受けメタル、（１０７）は上記補強プレート（１０４）と同じく上段連結盤（１０１）との上下相互間に介挿されたスラストベアリング、（１０８）は上記回動枢軸（１０５）の下端部に螺合締結された抜け止めナットである。
【００６７】
更に、上記攪拌機（Ｇ）における伝動ケース（６１）の中途部からは、その支持ボックス（４５）の側壁面に向かって連結脚片（１０９）が一体的に垂下されている。（１１０）はその連結脚片（１０９）を挟む二叉状の連結ブラケットであって、上記支持ボックス（４５）の側壁面に取り付け固定されており、その連結ブラケット（１１０）と連結脚片（１０９）には連結ピン（１１１）又は連結操作レバーが、抜き差し自在に差し込み貫通されている。
【００６８】
このような連結ピン（１１１）の差し込み固定状態では、図１２、１３から明白なように、攪拌機用伝動ケース（６１）が下降しており、その伝動ケース（６１）の上記伝動軸（６２）と攪拌機用駆動モーター（５９）の出力軸（６０）とは、伝動カップリング（６３）を介して連結一体化されている。そのため、食材収容鍋（６）の内部へ挿入された使用状態にある上記攪拌子（８１）を、その駆動モーター（５９）により伝動チェン（６９）とセンター攪拌軸（６７）や偏心攪拌軸（７７）を経て回転駆動することができ、食材の攪拌作用を行なえることになる。
【００６９】
他方、このような使用状態から上記連結ピン（１１１）を、その気圧シリンダー（９４）の突っ張り作用に抗して抜き出せば、上記両昇降ロッド（９９）が図１、２の鎖線で示す如く直進的に上昇して、攪拌機用伝動ケース（６１）をその支持ボックス（４５）から浮上させることになり、上記伝動ケース（６１）の伝動軸（６２）と攪拌機用駆動モーター（５９）の出力軸（６０）とが分離し、その伝動不能に保たれる。
【００７０】
その結果、上記伝動ケース（６１）から両昇降ロッド（９９）の上段連結盤（１０１）へ差し込まれた状態にある垂直な回動枢軸（１０５）を中心として、その攪拌機用伝動ケース（６１）を図３のように約９０度の一定角度（γ）だけ、望ましくは前方へ水平に回動操作することにより、上記食材収容鍋（６）の内部から一旦真上位置へ抜き出された攪拌子（８１）を、更にその食材収容鍋（６）の周辺へ退避させることができる。
【００７１】
このような説明から確認されるように、両昇降ロッド（９９）の昇降ストローク（ｓ）は攪拌機（Ｇ）の攪拌子（８１）を食材収容鍋（６）の開口上面から抜き出し退避させ得る程度の一定量として、予じめ設定されているわけであり、その攪拌子（８１）を抜き出し退避させた後に、上記釜傾斜操作レバー（４０）を使用して、釜（Ｃ）に受け持たれている食材収容鍋（６）を図１８のように、水平な姿勢状態まで横転させることにより、その内部から攪拌調理済みの食材を取り出すこともできることになる。
【００７２】
先に一言した食材の加熱器（Ｂ）はガスバーナー（１１２）として、食材収容鍋（６）の円錐底面へ臨む位置にあるが、その食材収容鍋（６）が上記回動支軸（３２）（３３）の水平軸線（Ｘ−Ｘ）廻りに、一定な回動角度範囲（α）内での段階的に傾斜する姿勢状態として使用されるようになっているため、その傾斜するもガスバーナー（１１２）を常に食材収容鍋（６）の円錐底面へ支障なく臨ませる必要上、両者は作用的に連動連結されている。
【００７３】
つまり、食７収容鍋（６）を受け持つ釜（Ｃ）と、ガスバーナー（１１２）との連動機構（Ｉ）が明らかな図４、５において、（１１３）はガスバーナー（１１２）の混合管、（１１４）はその混合管（１１３）へのガス供給管、（１１５）は上記据付フレーム（Ａ）におけるボックス型軸受スタンド（１）の側壁面に、前後方向への細長く切り欠かれたスライドガイド窓であり、ここをスライドし得るアングル型の支持ステー（１１６）に、上記混合管（１１３）とガス供給管（１１４）とが各々安定良く固定支持されている。
【００７４】
しかも、その支持ステー（１１６）が上記ボックス型軸受スタンド（１）の内部へ臨む垂立片には、スライドブロック（１１７）が付属一体化されており、これが上下一対の平行なスライドガイド軸（１１８）に沿って、前後方向へスライドし得るようになっている。
【００７５】
又、（１１９）は上記ボックス型軸受スタンド（１）を貫通する水平な回動支軸（３２）の中途部へ嵌め付け一体化された回動アームであり、上記支持ステー（１１６）の垂立片から対応的に張り出す揺動リンクアーム（１２０）と枢支連結されている。
【００７６】
更に、（１２１）は上記ボックス型軸受スタンド（１）の内部へ配管された弁組立ユニットであって、開閉用電磁弁やガス流量調整弁などを具備しており、その口金部と上記ガス供給管（１１４）の口金部とは、フレキシブルホース（１２２）を介して連通接続されている。（１２３）は上記弁組立ユニット（１２１）を図外のガス供給源と接続使用するためのガス導入口金である。
【００７７】
そのため、上記食材収容鍋（６）を受け持つ釜（Ｃ）がその釜傾斜操作レバー（４０）により、約３０度の一定な回動角度範囲（α）において傾斜されると、これに応じてガスバーナー（１１２）は図１６〜１８に示唆する如く、前後方向へ自づとスライド作用し、食材収容鍋（６）の円錐底面へ臨むことになり、食材を支障なく加熱することができる。
【００７８】
図１〜１８の基本実施形態では、食材の加熱器（Ｂ）としてガスバーナー（１１２）を採用しているが、これに代えて、図１９のような電磁誘導式加熱器（Ｂ）や図２０のような蒸気による加熱器（Ｂ）、更にはこれらの併用されたハイブリッド式加熱器（Ｂ）を採用することもできる。
【００７９】
その電磁誘導式加熱器（Ｂ）を採用する場合には、図１９のような食材収容鍋（６）の円錐底面に臨む電磁誘導コイル（１２４）を、支持枠（１２５）などによって釜（Ｃ）へ固定支持させれば良く、その電磁誘導コイル（１２４）が釜（Ｃ）との一体的に傾斜することになるため、上記基本実施形態に示したガスバーナー（１１２）と釜（Ｃ）との連動機構（Ｉ）を設ける必要はない。
【００８０】
又、蒸気による加熱器（Ｂ）を採用する場合でも図２０のように、その蒸気ジャケット（１２６）を食材収容鍋（６）の包囲状態として付属一体化させることができるため、やはり上記ガスバーナー（１１２）と釜（Ｃ）との連動機構（Ｉ）を設置する必要はなく、その食材収容鍋（６）との一体的に回転し得るロータリージョイント（１２７）などを介して、蒸気ジャケット（１２６）に対する蒸気の給排作用を行なえるように配管すれば良い。
【００８１】
尚、図１９、２０の各種変形実施形態におけるその他の構成は上記基本実施形態と実質的に同一であるため、その図１９、２０に図１〜１８との対応符号に記入するにとどめて、その詳細な説明を省略する。
【００８２】
何れにしても、本発明に係る各種食材の万能攪拌装置では上記のように、その構成上食材収容鍋（６）を受け持つ釜（Ｃ）と、攪拌子（８１）へ上方から駆動モーター（５９）の回転力を与える攪拌機用支持ボックス（４５）とが、共通の据付フレーム（Ａ）から垂立する向かい合う一対の軸受スタンド（１）（２）へ回動支軸（３２）（３３）を介して、その同じ水平軸線（Ｘ−Ｘ）廻りに各々一定の回動角度範囲（α）（β）だけ傾斜させ得るように枢着されているほか、上記食材収容鍋（６）の正逆回転方向と回転速度並びに上記攪拌機（Ｇ）における攪拌子（８１）の回転速度を、各種食材やその調理方法に応じてふさわしく制御することもできるようになっている。
【００８３】
図２１はそのための上記基本実施形態に採用された電気制御回路を示しており、鍋回転駆動モーター（２８）の制御用インバーター（１２８）と攪拌機用駆動モーター（５９）の制御インバーター（１２９）とが、並列回路として配線されている。（１３０）はその鍋回転駆動モーター（２８）による食材収容鍋（６）の回転方向を正逆に切り替えセットする切替スイッチ、（１３１）は同じく食材収容鍋（６）の回転速度を調整セットするスイッチ付きボリュームであり、上記加熱器（Ｂ）を使用する煮練りや炒めなどの調理時には例えば約４０r.p.m として、又加熱器（Ｂ）を使用しない泡立てや和えなどの調理時には例えば約８r.p.m として設定される。その加熱器（Ｂ）を使用する調理時にのみ、スイッチ付きの加熱力調整ボリューム（１３２）をオン操作すれば良い。
【００８４】
他方、（１３３）は上記攪拌機用駆動モーター（５９）によるセンター攪拌軸（６７）の回転速度を調整セットするスイッチ付きボリュームであり、例えば約１５r.p.m 〜８０r.p.m の範囲内において適当に選定される。そのセンター攪拌軸（６７）の周囲を一対の偏心攪拌軸（７７）が、上記サンギヤ（７１）とプラネタリーギヤ（８０）との所定ギヤ比率において、自転し乍ら公転することは既に説明したとおりである。（１３４）は電源スイッチ、（１３５）は電源ランプ、（１３６）は手作業での調理時間をセットするタイマーであり、これらは攪拌機用支持ボックス（４５）の操作パネル（５７）上へ、図２２のように見やすく並列設置されている。
【００８５】
そのため、本発明の万能攪拌装置により食材を攪拌するに当っては、図２３（イ）〜（ヘ）の各種使用例から示唆されるように、カスタードクリームやバタークリーム、ホイップクリーム、ブッセ生地、ケーキ生地、パン生地、ハンバーグ生地、サラダの具材、野菜、焼きそば、焼き飯、餡、チョコレート、カレー、シチュー、スープなどの希望する食材を、その食材収容鍋（６）に収容させる。
【００８６】
又、攪拌機（Ｇ）の攪拌子（８１）をその食材の目的とする煮練りや炒め、その他の調理方法に応じ、これにふさわしいワイヤービーターやバタービーター、ホイッパー、スクリュー、各種掻き取り用板羽根などの形態品として取捨選択した上、これを上記センター攪拌軸（６７）又は／及び偏心攪拌軸（７７）へ着脱・交換自在に連結使用して、その加熱器（Ｂ）での加熱中にある食材を、上記攪拌子（８１）の回転運動により攪拌すれば良い。食材の加熱が不要な和えや泡立てなどの調理方法では、その加熱器（Ｂ）を使用しないで、攪拌だけを行なう、
【００８７】
このような攪拌装置の使用上、図２４に典型例を示す如く、食材収容鍋（６）を受け持つ釜（Ｃ）と、攪拌機（Ｇ）の支持ボックス（４５）との何れか一方を固定状態に保って、残る他方を上記回動支軸（３２）（３３）の水平軸線（Ｘ−Ｘ）廻りに前後方向へ傾斜させたり、又はその共通する水平軸線（Ｘ−Ｘ）の廻りに上記釜（Ｃ）と攪拌機用支持ボックス（４５）との双方を、各別に前後方向へ傾斜させたりすることができ、更に上記食材収容鍋（６）の正逆回転方向と回転速度並びに攪拌子（８１）の回転速度を制御することも可能であるため、各種食材やその調理方法に応じた豊富な使用バリエーションを得られる。
【００８８】
つまり、上記食材収容鍋（６）を受け持つ釜（Ｃ）と、攪拌機用支持ボックス（４５）との何れか一方を他方に対して傾斜させたり、その双方を傾斜させたりすれば、食材収容鍋（６）の垂直中心線（Ｙ−Ｙ）と上記攪拌子（８１）の回転軸線（Ｚ−Ｚ）とが、図２４（ロ）（ハ）（ニ）のような互いに一定の角度だけ交叉した傾斜姿勢状態や、同図（イ）（ホ）のような互いに合致又は平行した傾斜姿勢状態を得られることになる。
【００８９】
しかも、上記食材収容鍋（６）を受け持つ釜（Ｃ）の傾斜角度と、攪拌機用支持ボックス（４５）の傾斜角度とは、その何れも一定の回動角度範囲（α）（β）において各々小刻みの段階的又は無段階に調整できるようになっているため、更に食材収容鍋（６）の正逆回転方向と回転速度並びに攪拌子（８１）の回転速度が制御されるようになっているため、上記攪拌子（８１）における各種形態品の選定やその指向変化とも相俟って、食材収容鍋（６）に収容された各種食材を縦横方向や斜め方向へ、万遍なく対流・反転させる如く、その食材収容鍋（６）の隅々まで完全に効率良く攪拌作用することができるのであり、加熱中にある食材が焦げ付かないことは勿論、その食材が食材収容鍋（６）の周辺へ終始付着した状態のままに残る攪拌作用上の所謂盲点（死角）を生成するおそれもない。
【図面の簡単な説明】
【００９０】
【図１】本発明に係る万能攪拌装置の概略全体を示す正面図である。
【図２】図１の右側面図である。
【図３】図１の平面図である。
【図４】図１の釜チルト作動機構を拡大して示す断面正面図である。
【図５】釜と加熱器（ガスバーナー）との連動機構を示す図４の左側面図である。
【図６】図４の釜を抽出して示す底面図である。
【図７】図６の平面図である。
【図８】同じく釜の断面平面図である。
【図９】図１の攪拌機用チルト作動機構を示す右側面図である。
【図１０】図９の気圧シリンダーを抽出して示す拡大平面図である。
【図１１】図２の攪拌機用昇降作動機構を拡大して示す断面側面図である。
【図１２】図１１の断面正面図である。
【図１３】図１１における別個所での断面正面図である。
【図１４】図３の攪拌機用伝動ケースを拡大して示す平面図である。
【図１５】図１の攪拌機を拡大して示す断面正面図である。
【図１６】垂直姿勢状態の釜と加熱器（ガスバーナー）との対応位置関係を示す説明図である。
【図１７】傾斜姿勢状態の釜と同じく加熱器との連動位置関係を示す説明図である。
【図１８】伏倒姿勢状態の釜と同じく加熱器との連動位置関係を示す説明図である。
【図１９】電磁誘導式加熱器を採用した変形実施形態の説明図である。
【図２０】蒸気による加熱器を採用した別な変形実施形態の説明図である
【図２１】本発明に係る万能攪拌装置の電気制御回路図である。
【図２２】操作パネルを抽出して示す正面図である。
【図２３】各種攪拌子の使用例を示す説明図である。
【図２４】釜に受け持たれた食材収容鍋と、攪拌機の支持ボックスとの相関的な各種使用例を示す説明図である。
【符号の説明】
【００９１】
（１）（２）・軸受スタンド
（３）・水平盤
（６）・食材収容鍋
（７）・外筒
（８）・内筒
（１０）・第１断熱ライニング層
（１１）  蒸気ジャケット
（１２）・集中排気管
（１３）・第２断熱ライニング層
（１４）・排気孔
（１６）・上段遊転ローラー
（１７）・上段係合フランジ
（１９）・下段遊転ローラー
（２１）・下段係合フランジ
（２４）・入力スプロケット
（２６）・係止フランジ
（２７）・係止ピン
（２８）・鍋回転駆動モーター
（３０）・出力スプロケット
（３１）・伝動チェン
（３２）（３３）・回動支軸
（３６）（３７）・ハブフランジ
（３８）（３９）・軸受メタル
（４０）・釜傾斜操作レバー
（４２）・ロックピン
（４４）・傾斜角度調整プレート
（４４）・ロックピン受け入れ孔
（４５）・攪拌機用支持ボックス
（４６）・カバーケース
（４７）・スラストベアリング
（５０）・ロックレバー
（５１）・ロックレバー受け入れ孔
（５２）・遊転ローラー
（５３）・転動ガイドレール
（５４）・気圧シリンダー
（５８）・仕切り天板
（５９）・攪拌機用駆動モーター
（６０）・出力軸
（６１）・攪拌機用伝動ケース
（６２）・伝動軸
（６３）・伝動カップリング
（６４）・駆動スプロケット
（６６）・固定軸受ケース
（６７）・センター攪拌軸
（６８）・従動スプロケット
（６９）・伝動チェン
（７１）・サンギヤ
（７４）・回転ケース
（７７）・偏心攪拌軸
（８０）・プラネタリーギヤ
（８１）・攪拌子
（８２）・取付支軸
（８３）（８４）・ソケット
（８５）・係止ボール
（８６）・スライドカバー
（８７）（８８）・軸受ブラケット
（８９）（９０）（９１）（９２）・スプロケット
（９３）・第１走行チェン
（９４）・気圧シリンダー
（９８）・第２走行チェン
（９９）・昇降ロッド
（１０１）・上段連結盤
（１０２）・下段連結盤
（１０３）・連結ピース
（１０５）・回動枢軸
（１１１）・連結ピン
（１１２）・ガスバーナー
（１１３）・混合管
（１１４）・ガス供給管
（１１５）・スライドガイド窓
（１１６）・支持ステー
（１１７）・スライドブロック
（１１８）・スライドガイド軸
（１１９）・回動アーム
（１２０）・揺動リンクアーム
（１２１）・弁組立ユニット
（１２２）・フレキシブルホース
（１２８）・鍋回転駆動制御用インバーター
（１２９）・攪拌子回転駆動制御用インバーター
（１３０）・鍋回転方向切替スイッチ
（１３１）・鍋回転速度調整ボリューム
（１３２）・加熱力調整ボリューム
（１３３）・攪拌子回転速度調整ボリューム、
（Ａ）・据付フレーム
（Ｂ）・加熱器（ガスバーナー）
（Ｃ）・釜
（Ｄ）・鍋回転駆動機構
（Ｅ）・釜チルト作動機構
（Ｆ）・攪拌機用チルト作動機構
（Ｇ）・攪拌機
（Ｈ）・攪拌機用昇降作動機構
（Ｉ）・連動機構
（Ｘ−Ｘ）・水平軸線
（Ｙ−Ｙ）・垂直中心線
（Ｚ−Ｚ）・攪拌子の回転軸線
（ｄ）・偏心量
（ｓ）・昇降ストローク
（α）（β）・回動角度範囲
【図１】
2006061183.tif 000003
【図２】
2006061183.tif 000004
【図３】
2006061183.tif 000005
【図４】
2006061183.tif 000006
【図５】
2006061183.tif 000007
【図６】
2006061183.tif 000008
【図７】
2006061183.tif 000009
【図８】
2006061183.tif 000010
【図９】
2006061183.tif 000011
【図１０】
2006061183.tif 000012
【図１１】
2006061183.tif 000013
【図１２】
2006061183.tif 000014
【図１３】
2006061183.tif 000015
【図１４】
2006061183.tif 000016
【図１５】
2006061183.tif 000017
【図１６】
2006061183.tif 000018
【図１７】
2006061183.tif 000019
【図１８】
2006061183.tif 000020
【図１９】
2006061183.tif 000021
【図２０】
2006061183.tif 000022
【図２１】
2006061183.tif 000023
【図２２】
2006061183.tif 000024
【図２３】
2006061183.tif 000025
【図２４】
2006061183.tif 000026